(57)【特許請求の範囲】
【請求項１】
光ファイバ（１）先端を内装固定して突き合わせ接続可能に成端するＭＴ形光フェルール（２）を挟み込む二つ割り状のハウジング（２４、２９、１０１）に、
ＭＴ形光フェルールの少なくとも一部を内装する凹部（２５、４１、１０２）と、
該凹部に内装したＭＴ形光フェルールの回転方向の変位を許容する拡張部（２５ａ）と、
凹部に内装したＭＴ形光フェルールの別のＭＴ形光フェルールと接合される接合端面（８）と対向する後方に臨む当接面（１０）が当接されることによりＭＴ形光フェルールの後方への移動を規制する支圧壁（２８、４５、１０７）と、
接合の相手側のＭＴ形光フェルールを内装するハウジングと係脱可能に係合して突き合わせ接合した接合端面間の離間を規制する係合手段（３０、３９、１０５）と、
凹部に内装したＭＴ形光フェルールを接合端面方向に付勢する付勢手段（３７）と、
を備えてなり、
ハウジング外面に凹部の開口部（３５）を開口して該凹部に内装したＭＴ形光フェルールの接合端面をハウジング外方に臨ませ、接合の相手側のＭＴ形光フェルールの接合端面と接合可能としたことを特徴とする光コネクタ（２０、２１、１００）。
【請求項２】
凹部に内装したＭＴ形光フェルールの当接面に装着されて、接合の相手側のＭＴ形光フェルールとの位置合わせを行うガイドピン（４）を保持するピンホルダ（４９）を備えることを特徴とする請求項１に記載の光コネクタ。
【請求項３】
ハウジングの側壁部に、凹部の開口部から奥側に延在するスリット（３１ａ、７２）を開口したことを特徴とする請求項１または２記載の光コネクタ。
【請求項４】
請求項１から請求項３の光コネクタを複数積層すると共に、これらを一体化して保持する保持手段（５２）を備えたことを特徴とする光コネクタ積層体。
【発明の詳細な説明】
【０００１】
【発明の属する技術分野】
本発明は、光コネクタに係り、特に光ファイバ先端を成端するフェルールをハウジング内に内装固定してなる光コネクタに関するものである。
【０００２】
【従来の技術】
光ファイバ同士を切替可能に接続する光コネクタとしては、例えば、ＪＩＳＣ ５９８１等に制定されるような、いわゆるＭＴ形光コネクタ(MechanicallyTransferable)が提供されている。図１０は、ＭＴ形光コネクタの一例を示す。図中符号１は光ファイバ（テープ心線）、２はフェルール（光コネクタプラグ）、３はブーツ、４はガイドピン、５はガイドピン穴、６はクランプスプリングである。このＭＴ形光コネクタは、光ファイバ１の先端に露出させた複数本の裸ファイバ７を、精密金型を用いて成形した樹脂製フェルール２に形成した光ファイバ挿入穴９に挿入固定した構造になっている。光ファイバ挿入穴９は他のフェルール２と突き合わされる接合端面８に開口し、前記裸ファイバ７は該接合端面８と面一に精密に位置決めされている。ガイドピン穴５は光ファイバ挿入穴９に対する相対位置および平行度が極めて精密であり、精密な円筒側面を有する金属製ガイドピン４を一対のフェルール２の対向させた両接合端面８のガイドピン穴５、５間に架け渡すようにして挿入することで、両フェルール２の接合端面８に露出する裸ファイバ７同士が精密に位置決めされる。そして、両フェルール２の接合端面８同士を当接させた後、両フェルール２の後端面１０間にクランプスプリング６を嵌込むと、該クランプスプリング６のバネ力によって接合端面８間の圧接状態が維持され、突き合わせられた裸ファイバ７間に所望の接続損失が安定に確保されるようになっている。
【０００３】
ところで、前記ＭＴ形光コネクタは、クランプスプリング６の着脱に専用の治具を必要とするため、作業性に不満があり、接続や接続切替等の作業を簡便に行うことができる光コネクタの開発が求められていた。また、フェルール２がむき出しになることを防止するために、キャップ等の保護手段を設ける必要があり、扱いが面倒であるといった不満があった。
【０００４】
前記問題に鑑みて、近年では、いわゆるＭＰＯコネクタ（ＪＩＳ Ｃ ５９８１等に制定される光コネクタフェルールをハウジング内部に収納した構造の光コネクタ）が提供されている。図１１および図１２は前記ＭＰＯコネクタ１１を示す。図１２において、このＭＰＯコネクタ１１は、ＭＴ形光コネクタのフェルール２および該フェルール２の後端部（図１２右側）に突出させたガイドピン４をクランプするピンクランプ１２を筒状のハウジング１３に内装支持し、該ハウジング１３の後端部を筒状のカップリング１４に内装支持し、カップリング１４内に突き合わせ力発生用のスプリング１５を収容した構成になっている。フェルール２はハウジング１３内を前後（図１２左右）方向に移動可能であり、ハウジング１３は別途設置されたハウジング用スプリング１６によって前方に付勢されており、フェルール２がＭＰＯコネクタ１１の奥方に押し込まれた際にハウジング１３がフェルール２に従動せずにＭＰＯコネクタ１１の先端位置にあれば、ハウジング１３内側にフェルール２全体が入り込んで保護される。ハウジング１３は側部に突設した係合突起１３ａが光コネクタアダプタ１７等の受け側のハウジングと係脱可能に係合することで、該受け側のハウジングに差し込んだＭＰＯコネクタ１１の差し込み状態を維持する。
【０００５】
前記ＭＰＯコネクタ１１によれば、受け側のハウジングに対して挿抜するだけで、光ファイバ１同士の接続や接続切替等を簡便に行うことができる。また、フェルール２をハウジング１３内に収容保護する構造になっているので、フェルール２の保護手段を別途講じる必要が無い。
【０００６】
【発明が解決しようとする課題】
ところで、前記のようなＭＰＯコネクタ１１は、部品点数が多く構成が複雑であるため組み立てに手間がかかり、コストも高いといった不満があった。また、図１２に示すＭＴ形光コネクタに比べてかなり大型になるので、装置に高密度に実装するには不向きであり、実装密度の向上に限界があった。また、専用のアダプタ１７を装置に実装した場合、アダプタ１７が深くなるため、フェルール２の接合端面８の清掃に手間がかかるといった不満があった。このため、このＭＰＯコネクタ１１では前記ＭＴ形光コネクタの有する問題点の根本的な解決に至らなかった。
【０００７】
本発明は、前述の課題に鑑みてなされたもので、部品点数が少なく構成が単純で組み立てが容易であり、しかも光ファイバ同士の接続や接続切替等の作業を簡便に行うことができる低コストの光コネクタを提供することを目的とするものである。
【０００８】
【課題を解決するための手段】
本発明は、前記課題を解決するため、以下の構成を採用した。すなわち、請求項１記載の光コネクタでは、光ファイバ先端を内装固定して突き合わせ接続可能に成端するＭＴ形光フェルールを挟み込む二つ割り状のハウジングに、ＭＴ形光フェルールの少なくとも一部を内装する凹部と、該凹部に内装したＭＴ形光フェルールの回転方向の変位を許容する拡張部と、凹部に内装したＭＴ形光フェルールの別のＭＴ形光フェルールと接合される接合端面と対向する後方に臨む当接面が当接されることによりＭＴ形光フェルールの後方への移動を規制する支圧壁と、接合の相手側のＭＴ形光フェルールを内装するハウジングと係脱可能に係合して突き合わせ接合した接合端面間の離間を規制する係合手段と、凹部に内装したＭＴ形光フェルールを接合端面方向に付勢する付勢手段と、を備えてなり、ハウジング外面に凹部の開口部を開口して該凹部に内装したＭＴ形光フェルールの接合端面をハウジング外方に臨ませ、接合の相手側のＭＴ形光フェルールの接合端面と接合可能としたことを特徴とする光コネクタを前記課題の解決手段とした。
【０００９】
本発明の光コネクタを適用する光ファイバは多心用のＭＴ形光コネクタのフェルールをハウジングに挟み込む構造を採用する。また、本発明は、ハウジング内に多心用のフェルールを複数挟み込む構成も採用可能である。ＭＴ形光コネクタのフェルールを挟み込む構成では、該フェルールのガイドピンおよびガイドピン穴により、接合するフェルール間の位置決めを行う。調心手段としては、調心スリーブや調心溝等の採用が可能である。当接面としては、ＭＴ形光フェルールの後端面等を適用する。また、ＭＴ形光フェルールに突設した突起等のＭＴ形光フェルール後方に臨む面を当接面として支圧壁と当接させる構成も採用可能である。係合手段としては、ハウジングから突設した爪等を適用する。凹部に内装保持したＭＴ形光フェルールの接合端面の位置は、凹部の内外のいずれにあっても良い。雌形光コネクタプラグや光コネクタアダプタでは接合端面を開口部内方に位置させ、雄形光コネクタプラグでは開口部外側に位置させる。ハウジングは扁平に形成することが好ましく、この場合、扁平に形成したハウジングに表裏を判別するための判別手段を設けることが好ましい。この構成によれば、例えば、接合端面を傾斜研磨したＭＴ形光フェルールを内装した場合に、接合端面の傾斜方向を簡便に知ることができる。
また、付勢手段は、ＭＴ形光フェルール同士の接合時の突き合わせ力を付与するものであり、コイルバネ、板バネ、弾性体等の採用が可能である。この光コネクタでは、ＭＴ形光フェルールの凹部内外方向への進退動を許容する構造のハウジングを採用する。
【００１０】
請求項２記載の発明では、凹部に内装したＭＴ形光フェルールの当接面に装着されて、接合の相手側のＭＴ形光フェルールとの位置合わせを行うガイドピンを保持するピンホルダ（４９）を備えることを前記課題の解決手段とした。
【００１１】
請求項３記載の発明では、ハウジングの側壁部に、凹部の開口部から奥側に延在するスリットを開口したことを前記課題の解決手段とした。前記スリットとしては、ＭＴ形光フェルール接合端面を清掃する清掃具（綿棒等）の挿入が可能な形状であることが好ましい。
請求項４記載の発明では、請求項１から請求項３の光コネクタを複数積層すると共に、これらを一体化して保持する保持手段（５２）を備えたことを特徴とする光コネクタ積層体を前記課題の解決手段とした。
【００１２】
【発明の実施の形態】
以下本発明の光コネクタの実施形態を図１から図８を参照して説明する。図１において、符号２０は本発明の光コネクタの第１実施形態である光コネクタ（雌形コネクタ）、２１は第２実施形態である光コネクタ（雄形コネクタ）である。
【００１３】
光コネクタ２０は、光ファイバ１（テープ心線）先端を内装固定して突き合わせ接続可能に成端するフェルール２（図１０に示すＭＴ形光コネクタプラグ）を、二つ割り状のハウジング２４に挟み込む構造になっている。ハウジング２４は、フェルール２の少なくとも一部が嵌込まれる凹部２５と、該凹部２５に嵌込んだフェルール２の接合端面８と対向する後方（図１右上奥）に臨む当接面１０（後端面）が当接されることによりフェルール２の後方への移動を規制する支圧壁２８と、雄形の光コネクタ２１のハウジング２９と係脱可能に係合して突き合わせ接合した接合端面８、８間の離間を規制する係合手段３０（爪）とを備えている。
【００１４】
ハウジング２４は、樹脂等の軽量かつ充分な剛性を有する材料によって形成された細長薄板状の２枚の分割体３１をネジ３２で一体化固定する構造になっている。なお、ハウジング２４の一体化手段はネジ３２に限定されず、例えば、両分割体３１に貫通させたピンに弾性留め具を係脱可能に取り付ける構造等も採用可能である。これにより、ハウジング２４の開閉が簡便になり、フェルール２の交換等の作業性を向上することができる。
図２および図３に示すように、凹部２５は、フェルール２のフランジ部３３を収容するフランジ部収容部３４と、ハウジング２４外面に開口する開口部３５とを有している。フランジ部収容部３４はフランジ部３３よりやや大きい幅寸法Ｌ１および軸方向寸法Ｌ２を有し、内部でのフランジ部３３の変位を僅かながら許容している。フェルール２は接合端面８を凹部開口部３５外方に臨ませ、フランジ部３３をフランジ部収容部３４に嵌め込むようにして凹部２５に収容される。図３において各分割体３１の凹部２５はフェルール２の厚さ方向（図３上下）半分程度を収納する深さであり、両分割体３１を一体化すると内装したフェルール２と摺接して開口部３５内外方向への変位を許容する内面形状を形成する。また、図２に示すように、フランジ部収容部３４の四隅には外側に拡がる拡張部２５ａを有し、この拡張部２５ａによってフェルール２の回転方向の変位を許容している。これにより、フェルール２同士の接合時の突き合わせ力が接合端面８の左右（図２上下）のいずれかに偏在した場合に、フェルール２の回転によって局所への応力集中を回避して、接合端面８の損傷を回避する。
図１に示すように、凹部開口部３５には係合手段３０が設けられ、該開口部３５に挿入した雄形光コネクタ２１のハウジング２９の側部の係合手段３９（爪）に係合手段３０と係合することで、光コネクタ２１の抜けを規制する。
なお、ハウジング２４は図示した形状に限定されず、例えば、一方の分割体の凹部にフェルール２を収容する深さを与え、他方の分割体がフラットな蓋状である構成も採用可能である。
【００１５】
図２および図３において、支圧壁２８は、光コネクタ２０の後端部（図２右側、図３右側）のハウジング２４外壁であり、中央部に凹部２５の内外に連通する光ファイバ挿通溝３６が形成され、この光ファイバ挿通溝３６の両側には、フェルール２を接合端面８方向に付勢する付勢手段３７（コイルバネ）を収納するための付勢手段収納溝３８が形成される。
各分割体３１には、凹部開口部３５から奥側（フランジ部収容部３４）に延在するスリット３１ａが形成される。このスリット３１ａは、接合端面８の清掃具（綿棒等）を凹部２５内に挿入するためのものであり、光コネクタ２０を分解することなく凹部２５内に収容したフェルール２の接合端面８を清掃することを可能にする。
【００１６】
図１に示すように、光コネクタ２１は、樹脂等の軽量かつ充分な剛性を有する材料によって形成された二つ割り状のハウジング２９にフェルール２のフランジ部３３を挟み込んで、接合端面８を光コネクタ２０の凹部開口部３５に挿入される先端部（図１右上奥）より外側に位置させる構成になっている。ハウジング２９は薄板状の２枚の分割体４０からなり、これら分割体４０を一体化した際に、両分割体４０の先端部に形成した凹部４１に収容したフランジ部３３を挟み込んで固定する。図４および図５に示すように、凹部４１に収容したフェルール２は、該凹部４１に開口した嵌合穴４２にフランジ部３３を嵌込んで固定されるので、容易には位置ずれが生じないようになっている。凹部４１の後部（図４左側、図５左側）には、フェルール２の後部から突出するブーツ３を収容するブーツ収容部４４が形成され、さらにブーツ収容部４４の両側にはフェルール２の当接面１０（後端面）が当接されることによりフェルール２の後方への移動を防止する支圧壁４５が形成される。支圧壁４５には光ファイバ１を挿通するための光ファイバ挿通溝４６が形成される。支圧壁４５の両側にはツマミ４７が突設され、各ツマミ４７の外側には係合手段３９が突設されている。このツマミ４７は、図４中符号４８の隙間の範囲で変形可能であり、光コネクタ２０の凹部開口部３５に差し込んだ後に両側から互いに接近する方向に変形させることで、係合手段３０、３９同士の係合を解除して凹部開口部３５からの光コネクタ２１の引き抜きを可能にする。
図１において、光コネクタ２１は二つの分割体４０を一体化状態に固定する部品は不要であり、先端部を光コネクタ２０の凹部開口部３５に差し込むだけで、差し込み状態が保持される。なお、光コネクタ２１には別途分割体４０の一体化手段を設けることも可能である。一体化手段の部品としては、バネ等からなるクランプ部材や、ネジ等を利用した固定部材を適用する。
【００１７】
図６は、雄形光コネクタの別態様を示す。
図６において、光コネクタ１００（雄形光コネクタプラグ）は、樹脂等の軽量かつ充分な剛性を有する材料によって形成された細長薄板状のハウジング１０１の長手方向一端部に、フェルール２のほぼ全体を収納する凹部１０２を形成し、該凹部１０２の近傍のハウジング１０１の幅方向（長手方向に垂直の方向）両側から、ハウジング１０１の長手方向に沿って他端部１０３近傍まで延在する弾性ツマミ１０４を突設している。両弾性ツマミ１０４には、光コネクタ１００を雌側の光コネクタ２０に差し込んだ際に係合手段３０と係合する係合手段（爪）１０５を突設している。なお、弾性ツマミ１０４は、ハウジング１０１の他端部１０３との間に介在した隙間１０６の範囲内で弾性変形可能であり、それぞれハウジング他端部１０３に接近する方向に変形させると係合手段１０５も移動するので、これにより、雌形光コネクタ２０側の係合手段３０と係合した係合手段１０５の係合状態を解除することができる。
凹部１０２は雌形光コネクタ２０に差し込む方向（ハウジング１０１の長手方向先端先端方向、図６左上奥）が開放されており、この開口部分から接合端面８近傍がハウジング１０１外方に突出した状態にフェルール２を収納支持する。また凹部１０２に臨む後部壁（図６中左下側手前。ハウジング１０１の長手方向他端部側）は、フェルール２の後部当接面１０が当接される支圧壁１０７として機能し、該フェルール２を相手側のフェルール２との突き合わせた時の反力を確保する。支圧壁１０７には、凹部１０２に収納したフェルール２が成端する光ファイバ１やブーツ３を挿通するための光ファイバ溝１０８が開口される。
この光コネクタ１００によれば、全体が１部品により形成されるので、極めて低コスト化することが可能である。また、全体が１部品であることから、例えば、図１記載の光コネクタ２１のように２部品からなる光コネクタ２１よりも、凹部１０２に高い形成精度を得ることができ、フェルール２が凹部１０２内の定位置に収まっていれば正確に位置決めすることができる。
なお、この光コネクタ１００では、雌形光コネクタ２０に差し込むと該雌形光コネクタ２０のハウジング２４によってフェルール２が凹部１０２内に押さえられるようになっているので、別途押さえ用の部材を用意する必要は無い。
【００１８】
図７は、ピンホルダ４９を示す。このピンホルダ４９は、光コネクタ２０側の凹部２５に内装するフェルール２の当接面１０に装着することで、フェルール２のガイドピン穴５に対応する二つのピン保持穴５０内に該ガイドピン穴５に挿入したガイドピン４の端部を保持して引き抜き抵抗を与え、光コネクタ２０の凹部開口部３５に対する光コネクタ２１の挿抜時にガイドピン４が移動することを防止する。
なお、本実施形態では、ピンホルダ４９を装着したフェルール２を光コネクタ２０のみに内装する構成を示したが、凹部４１を拡張すれば光コネクタ２１に内装することも可能である。
【００１９】
前記光コネクタ２０によれば、分割体３１を一体化するだけで、ハウジング２４内にフェルール２を挟み込むことができ、組み立てが極めて簡便である。しかも、図１１および図１２に示すＭＰＯコネクタ１１に比べて部品点数が極めて少なく、低コスト化することができる。また、光コネクタ２０は極めて小型にすることができるので、装置に高密度に実装することが可能であり、装置の多心化に対応することができ、しかも、スリット３１ａの存在により、実装後のフェルール接合端面８の清掃が容易である。また、フェルール２を凹部２５に内装する構造になっているから、別途保護手段を設ける必要は無い。また、光コネクタ２０では、光コネクタ２１を凹部開口部２５に挿抜するだけでフェルール２同士の接合および接合解除がなされるので、光ファイバ１同士の接続や接続切替等の作業性が向上する。なお、光コネクタ２０は、ハウジング２４の形状を調整するだけで、光コネクタ２１以外の各種構造の光コネクタプラグの差し込みが可能であるとともに、光コネクタアダプタ等のハウジングへ差し込む光コネクタプラグとしても利用が可能である。
【００２０】
光コネクタ２１によれば、光コネクタ２０よりさらに部品点数が少なく構造が単純であるので、組み立て作業性の向上や低コスト化といった効果が一層顕著に得られる。図１に示した光コネクタ２１では、フェルール接合端面８はハウジング２９の外方に位置するので、該接合端面８の清掃は容易である。また、フェルール２のフランジ部３３およびその近傍を凹部４１内に内装保護する構造であるので、別途保護手段を設ける必要は無い。
また、光コネクタ２１は、雌形光コネクタ２０以外の各種構造のハウジングへの差し込みが可能である。但し、この場合、接合するフェルール２間に突き合わせ力を与える付勢手段を光コネクタ２１またはハウジング側に組み込む必要がある。
【００２１】
光コネクタ２０、２１は共に扁平であるので、図８に示すように、表裏を判別するための印５１等の判別手段を設けると、接合端面８に斜め研磨を施したフェルール２を内装した場合に接合端面８の傾斜方向の判別が容易になり、接合端面８同士の接合作業性が向上する。
【００２２】
また、図９に示すように、光コネクタ２０を複数積層すると、相手側のハウジングに一括して挿抜することが容易である。この際、積層した複数枚の光コネクタ２０を保持手段５２により保持することで、作業性を向上することができる。保持手段５２としては、図９に示すクランプバネの他、分割体３１、３１を一体化するネジ３２に長いものを用いて複数枚の光コネクタ２０を一括固定する構造等の適用が可能である。さらに、隣接する光コネクタ２０間の互いに当接する分割体３１、３１を共用の一枚の分割体に置換することも可能であり、これにより、光コネクタ２０の実装密度を一層向上することができる。
なお、光コネクタ２０を複数積層した場合であっても、各光コネクタ２０のスリット３１ａをほぼ揃えておくことで、スリット３１ａを利用した接合端面８の清掃が可能である。
光コネクタ２１についても、同様に、複数積層して適合形状に形成した保持手段５２で一体化することで、相手側のハウジングに一括して挿抜することが可能になる。
【００２８】
【発明の効果】
以上説明したように、請求項１記載の光コネクタによれば、光ファイバ先端を内装固定して突き合わせ接続可能に成端するＭＴ形光フェルールを、二つ割り状のハウジングに挟み込む構造により、以下のような優れた効果を奏する。（１）ハウジングを一体化してＭＴ形光フェルールを挟み込むだけで、短時間で組み立てることができる。（２）部品点数が極めて少なくて済み、低コスト化することができる。（３）小型化が容易であるので、装置に高密度に実装することが可能であり、装置の多心化に対応することができる。（４）係脱可能な係合手段の設置により、相手側のハウジングに挿抜するだけで、光ファイバ同士の接続や接続切替等の作業を簡便に行うことができる。（５）ＭＴ形光フェルールをハウジング内に内装保護する構造になっているから、別途保護手段を設ける必要が無い。
また、拡張部を設けたので、ＭＴ形光フェルール同士の接合時の突き合わせ力が接合端面の左右のいずれかに偏在した場合に、ＭＴ形光フェルールの回転によって局所への応力集中を回避して、接合端面の損傷を回避できる。
また、凹部に収容したＭＴ形光フェルールを接合端面方向に付勢する付勢手段をハウジングに内装したことにより、接合したＭＴ形光フェルール間に突き合わせ力を付与する手段を別途設置する必要が無く、相手側のハウジングに挿抜するだけで、突き合わせ接続した光ファイバ間に目的の接続損失が確実に得られるといった優れた効果を奏する。
【００２９】
請求項２記載の光コネクタによれば、ピンホルダを、光コネクタ側の凹部に内装するＭＴ形光フェルールの当接面に装着することで、ＭＴ形光フェルールのガイドピン穴に対応する二つのピン保持穴内に該ガイドピン穴に挿入したガイドピンの端部を保持して引き抜き抵抗を与え、光コネクタの凹部開口部に対する光コネクタの挿抜時にガイドピンが移動することが防止される。
【００３０】
請求項３記載の光コネクタによれば、ハウジングの側壁部に、凹部の開口部から奥側に延在するスリットを開口したので、スリットに清掃具を差し込むことで、光コネクタを分解すること無くＭＴ形光フェルール接合端面の清掃を行うことができ、光ファイバ同士の接続時に目的の接続損失が確実に得られるといった優れた効果を奏する。
請求項４記載の光コネクタによれば、光コネクタを相手側のハウジングに一括して挿抜することが容易となる。また、その作業性を向上することができる。
【図面の簡単な説明】
【図１】  本発明の光コネクタの第１、第２実施形態を示す分解斜視図である。
【図２】  図１に示す雌形光コネクタのハウジングを構成する分割体を示す平面図である。
【図３】  図１に示す雌形光コネクタのハウジングを構成する分割体を示す正断面図である。
【図４】  図１に示す雄形光コネクタのハウジングを構成する分割体を示す平面図である。
【図５】  図１に示す雄形光コネクタのハウジングを構成する分割体を示す正断面図である。
【図６】  雄形光コネクタの別態様を示す斜視図である。
【図７】  フェルールの当接面に装着するピンホルダを示す斜視図である。
【図８】  図１の光コネクタの別態様を示す図であって、接合端面が斜め研磨されたフェルールを内装した光コネクタを示す分解斜視図である。
【図９】  図１の光コネクタの作用を示す図であって、光コネクタの積層状態および該積層状態の保持手段を示す斜視図である。
【図１０】  従来例の光コネクタを示す図であって、ＭＴ形光コネクタを示す分解斜視図である。
【図１１】  従来例の光コネクタを示す図であって、ＭＰＯコネクタを示す斜視図である。
【図１２】  図１１のＭＰＯコネクタの正断面図である。
【符号の説明】
１…光ファイバ（テープ心線）、２…フェルール（ＭＴ形光コネクタプラグ）、８…接合端面、１０…当接面（後端面）、２０…光コネクタ（雌形光コネクタプラグ）、２１…光コネクタ（雄形光コネクタプラグ）、２４…ハウジング、２５…凹部、２８…支圧壁、２９…ハウジング、３０…係合手段（爪）、３１ａ…スリット、３５…開口部、３７…付勢手段（コイルバネ）、３９…係合手段（爪）、４１…凹部、４５…支圧壁、１００…光コネクタ（雄形光コネクタプラグ）、１０１…ハウジング、１０２…凹部、１０５…係合手段（爪）、１０７…支圧壁。
【図１】
0003705883.tif 000002
【図２】
0003705883.tif 000003
【図３】
0003705883.tif 000004
【図４】
0003705883.tif 000005
【図５】
0003705883.tif 000006
【図６】
0003705883.tif 000007
【図７】
0003705883.tif 000008
【図８】
0003705883.tif 000009
【図９】
0003705883.tif 000010
【図１０】
0003705883.tif 000011
【図１１】
0003705883.tif 000012
【図１２】
0003705883.tif 000013